(57)【要約】【課題】簡単に設けることのできる塀と、塀を簡単に設けることができると同時に居住性のよい建物とすることのできる塀ユニットと、塀を有し且つ居住性のよい建物を提供すること。【解決手段】運搬可能な控壁パネル４を据え付け、運搬可能な塀壁パネル５をこの控壁パネル４に、塀壁パネル５の面と控壁パネル４の面を略直角にした状態に、連結した塀２である。【選択図】  図４
2004197529.tif 000002
【特許請求の範囲】
【請求項１】
運搬可能な控壁パネルが据え付けられ、運搬可能な塀壁パネルがこの控壁パネルに、塀壁パネルの面と控壁パネルの面を略直角にした状態にして、連結されていることを特徴とする塀。
【請求項２】
運搬可能な控壁パネルが据え付けられ、運搬可能な複数個の塀壁パネルがこの控壁パネルに、複数の塀壁パネルを略一直線状に上下に並べ且つ塀壁パネルの面と控壁パネルの面を略直角にした状態にして、連結されていることを特徴とする塀。
【請求項３】
運搬可能な控壁パネルが据え付けられ、運搬可能な塀壁パネルがこの控壁パネルの上方位置に、塀壁パネルの面と控壁パネルの面を略直角にした状態にして、連結され、この塀壁パネルの下方が開口部になされていることを特徴とする塀。
【請求項４】
運搬可能な箱形に組み立てられた骨格と、この骨格の側面に取り付けられた塀壁パネルとからなることを特徴とする塀ユニット。
【請求項５】
前記塀壁パネルより所定距離だけ離れた反対側位置に建物本体の一部分が設けられていることを特徴とする請求項４記載の塀ユニット。
【請求項６】
前記塀壁パネルが両側の柱と、この柱の前面に取り付けられた塀面材とからなり、この塀面材の前面には、背後又は横側に存在する建物本体の外壁に合う化粧が施されていることを特徴とする請求項１〜５のいずれかに記載の塀。
【請求項７】
複数階建ての建物本体には、１階の北側に北側開口部が設けられ、最上階に南側開口部又は天窓が設けられ、この１階の北側開口部から最上階の南側開口部又は天窓に通じる上向きの空気通路が設けられ、この建物本体の北側開口部から所定距離だけ離れた位置に塀が設けられ、建物本体と塀とで略囲まれた空間が形成されていることを特徴とする建物。
【請求項８】
前記建物本体と前記塀との間には、蓄熱材又は散水機能が設けられていることを特徴とする請求項７記載の建物。
【発明の詳細な説明】
【０００１】
【発明の属する技術分野】
この発明は、簡単に設けることのできる塀と、塀を簡単に設けることができると同時に居住性のよい建物とすることのできる塀ユニットと、塀を有し且つ居住性のよい建物に関する。
【０００２】
【従来の技術】
従来、塀は、建物本体から離れた位置に、ブロック等を積み重ねて設けることが多いが、かかる塀は施工し難い。又、このブロック等を積み重ねた塀は風等の横方向の外力に弱く高くすることが困難であるので、高さを略２ｍ以下にした塀が多かった。
この施工し難い問題を解決する塀として、特許文献１に記載されている外塀の組立方法が知られている。
【０００３】
この特許文献１に記載されている外壁の組立方法は、ボルト孔を有する支柱と、ボルト孔を有する筒状の中空部を備えた支柱外枠を取り付けた外塀ユニットと、外装表面部材とからなり、支柱を立設し、この支柱の上方から外塀ユニットを、中空部の中に支柱を入れる状態にして降ろし、中空部のボルト孔と支柱のボルト孔とをボルト締め固定して、外塀ユニットを支柱に取り付け、この外塀ユニットに外装表面部材を取り付けるものである。
【０００４】
また、風等の横方向の外力に弱いという問題を解決する手段としては、特許文献２や特許文献３に記載されている塀が知られている。
この特許文献２や特許文献３に記載されている塀は、塀の一部を建物本体に連結して、塀が受ける風等の横方向の外力を建物本体に負担させるものである。
【０００５】
一方、建物の居住性をよくする方法として、特許文献４〜７に記載されている建物が知られている。
この特許文献４に記載されている建物は、中央部分に中庭を設け、この中庭の周囲に建物ユニットを据えつけ、この中庭に面した建物ユニットの壁に窓又はドアーを設けたものであり、この中庭から窓又はドアーを通して十分な光や風を周囲の建物ユニットに入れるようにしたものである。
【０００６】
又、特許文献５や特許文献６に記載されている建物は、天井面に採光通風開口を設けた建物ユニットを組み込んだ建物であり、この採光通風開口から入る光や出入する風によって建物の居住性をよくするものである。
又、特許文献７に記載されている建物は、開閉可能な天窓を有する採光空間と１階に開口部を設け、この開口部から天窓に通じる吹き抜け空間とからなるものであって、天窓から採光すると同時に、１階の開口部から天窓に風が通るようにしたものである。
【０００７】
【特許文献１】
特開平６−１０８７０５号公報
【特許文献２】
実用新案登録第３００９５９９号公報
【特許文献３】
特開平９−４２４０号公報
【特許文献４】
特開２０００−２３４３８８号公報
【特許文献５】
特開２００１−９８６４６号公報
【特許文献６】
特開２００１−２１４５２１号公報
【特許文献７】
特開２０００−８０８０６号公報
【０００８】
【発明が解決しようとする課題】
しかしながら、上記特許文献１に記載されている外塀の組立方法は、従来のブロック等を積み重ねる塀よりは施工し易いが、基礎の上に支柱を立設し、この支柱に外塀ユニットを取り付け、この外塀ユニットに外装表面部を取り付けるというように３段階の施工が必要があり、未だ施工し難い。
しかも、２階までの高さの塀を設けようとすると、この塀が受ける風等の力に耐えさせるために、支柱を極めて頑丈にする必要があり、一般の人が居住する建物としては負担が大きく、現実問題として、２階までの高さの塀を設けることができない。
【０００９】
特許文献２や特許文献３に記載されている塀は、塀が建物本体に支持されて、塀が受ける風等の力に耐えることができ、２階までの高さの塀を設けることができるが、風等の力に耐えさせるために建物本体を補強する必要があり、建物本体が高価になるし、建物本体から離れた位置に塀を設けることができない。
また、建物本体の１階と２階の意匠が異なる場合に、この建物本体の外側に２階までの高さの塀を設け、この塀を建物本体の外観と略同じにして全体の外観をよくしようとすると、塀の壁面を途中で異なった意匠にする必要があり、塀の製作が極めて困難である。
【００１０】
特許文献４〜６記載の建物は、光を多く採り入れることができるし、通風のよい極めて居住性のよい建物であるが、この建物に塀を設けようとすると、建物を建てた後に塀を設けるというように、２段階の施工が必要である。
特許文献７記載の建物は、１階の開口部から天窓に風が通るので、居住性がよく、特に、夏期には、涼しい風が通り抜けるので、極めて居住性のよい建物であるが、更に涼しい風が通るようにしたいという要望がある。
【００１１】
そこで、本発明の目的は、簡単に設けることのできる塀と、塀を簡単に設けることができると同時に居住性のよい建物とすることのできる塀ユニットと、塀を有し且つ居住性のよい建物を提供することである。
【００１２】
【課題を解決するための手段】
上記課題を解決するために、請求項１に記載の発明は、運搬可能な控壁パネルが据え付けられ、運搬可能な塀壁パネルがこの控壁パネルに、塀壁パネルの面と控壁パネルの面を略直角にした状態にして、連結されている塀を特徴とするものである。
【００１３】
この請求項１記載の発明では、塀壁パネルが控壁パネルに連結されているが、この控壁パネルの連結場所は適宜でよい。例えば、塀壁パネルの略中央でもよいし、端部であってもよい。更に、塀壁パネルの端を他の物で延長して延長部分を設け、この延長部分に控壁パネルを連結してもよい。
しかし、控壁パネルを塀壁パネルの端部に連結すると、塀壁パネルの受ける風等の力で端部が破壊され難くなるので好ましい。
【００１４】
このように塀壁パネルの端部に控壁パネルを連結する場合には、この控壁パネルを塀壁パネルの一方の端部に連結してもよいし、両側の端部に連結されていてもよい。又、その他の部分、例えば、中央部分にも控壁パネルを設けて、この端部と中央部分の控壁パネルで塀壁パネルを支持するようにしてもよい。尚、塀壁パネルの一方の端部を控壁パネルに連結する場合には、他方の端部を建物本体や柱等に連結しもよいし、別の塀の控壁パネルに連結してもよい。
【００１５】
また、塀壁パネルは控壁パネルに連結されているが、この塀壁パネルは、控壁パネルと同様に、地上に据え付けられていてもよいし、据え付けることなく中空状にして控壁パネルに差し渡されて連結されていてもよい。
また、塀壁パネルを横方向に複数個並べ、この複数個の塀壁パネルの両側端部にそれぞれ控壁パネルを取り付けてもよいし、連結部に１個の控壁パネルを取り付けて、この控壁パネルを両側の塀壁パネルの共用にしてもよい。
【００１６】
また、請求項２記載のように、控壁パネルに複数個の塀壁パネルを取り付けてもよいし、請求項３記載のように、控壁パネルの上方に塀壁パネルを取り付けて、下方を開口部にしてもよい。
【００１７】
即ち、請求項２記載の発明は、運搬可能な控壁パネルが据え付けられ、運搬可能な複数個の塀壁パネルがこの控壁パネルに、複数の塀壁パネルを略一直線状に上下に並べ且つ塀壁パネルの面と控壁パネルの面を略直角にした状態にして、連結されている塀を特徴とするものである。
【００１８】
請求項３記載の発明は、運搬可能な控壁パネルが据え付けられ、運搬可能な塀壁パネルがこの控壁パネルの上方位置に、塀壁パネルの面と控壁パネルの面を略直角にした状態にして、連結され、この塀壁パネルの下方が開口部になされている塀を特徴とするものである。
【００１９】
この請求項３記載の発明における開口部は、種々な用途に使用できる。例えば、この開口部を人や車が通る通用門にしてもよいし、この開口部に扉を取り付けて玄関にしてもよいし、シャッターを取り付けて車庫出入口にしてもよい。
【００２０】
請求項４記載の発明は、運搬可能な箱形に組み立てられた骨格と、この骨格の側面に取り付けられた塀壁パネルとからなる塀ユニットを特徴とするものである。
【００２１】
この請求項４記載の発明では、箱形に組み立てられた骨格の側面に塀壁パネルが取り付けられているが、この骨格の上面は、適宜でよい。特に、上面に何も設けずに開口にし、この開口を通風や、採光に利用するようにすると、居住性がよくなるので、好ましい。
この際、開口の上方に庇や屋根を設けてもよい。また、採光だけを望むときには、この上面にガラスやアクリル板のような透明な板材を取り付けてもよい。
【００２２】
請求項５記載の発明は、請求項４記載の発明に係り、前記塀壁パネルより所定距離だけ離れた反対側位置に建物本体の一部分が設けられているものである。
【００２３】
請求項６記載の発明は、請求項１〜５のいずれかに記載の発明に係り、前記塀壁パネルが両側の柱と、この柱の前面に取り付けられた塀面材とからなり、この塀面材の前面には、背後又は横側に存在する建物本体の外壁に合う化粧が施されているものである。
【００２４】
この請求項６記載の発明における塀壁パネルでは両側の柱と、この柱の前面に取り付けられた塀面材とからなるが、その他の補強材、例えば、桟材や間柱が設けられてもよいし、塀面材の上下に梁材が設けられていてもよい。
また、この請求項６記載の発明では、塀面材の前面には、建物本体の外壁に合う化粧が施されているが、この外壁に合う化粧とは、建物本体の外壁と塀面材の化粧とが意匠的に統一されていることをいう。特に、建物本体の外壁と略同じ化粧を施すと極めて美麗になるので好ましい。
【００２５】
請求項７記載の発明は、複数階建ての建物本体には、１階の北側に北側開口部が設けられ、最上階に南側開口部又は天窓が設けられ、この１階の北側開口部から最上階の南側開口部又は天窓に通じる上向きの空気通路が設けられ、この建物本体の北側開口部から所定距離だけ離れた位置に塀が設けられている建物を特徴とするものである。
【００２６】
この請求項７記載の発明における塀は、請求項１〜６記載の発明における塀であってもよいし、その他の塀であってもよい。
また、「上向き」とは空気が１階の北側開口部から最上階の南側開口部に自然に流れる「空気の通路」の説明であって、構造自体の表現ではあい。
【００２７】
請求項８記載の発明は、請求項７記載の発明に係り、前記建物本体と前記塀との間には、蓄熱材又は散水機能が設けられているものである。
【００２８】
（作用）
請求項１記載の発明では、運搬可能な控壁パネルが据え付けられ、運搬可能な塀壁パネルがこの控壁パネルに、塀壁パネルの面と控壁パネルの面を略直角にした状態にして、連結されている塀であるので、塀壁パネルと控壁パネルを工場等の製造し易い場所で製造し、この塀壁パネルと控壁パネルを施工現場に運搬し、施工現場で、控壁パネルを据え付けたり、この控壁パネルに塀壁パネルを連結するだけで請求項１記載の塀とすることができ、現場施工工数が少なくなり極めて施工し易い。
【００２９】
しかも、この塀壁パネルが受ける風等の外力に対しては、塀壁パネルに略直角に連結されている控壁パネルが受けるので、塀壁パネルを２階の高さに取り付けても、風等の外力に対する十分な抵抗力を持たせることができる。
【００３０】
請求項２記載の発明では、運搬可能な控壁パネルが据え付けられ、運搬可能な複数個の塀壁パネルがこの控壁パネルに、複数の塀壁パネルを略一直線状に上下に並べ且つ塀壁パネルの面と控壁パネルの面を略直角にした状態にして、連結されている塀であるので、塀壁パネルと控壁パネルを工場等の製造し易い場所で製造し、この塀壁パネルと控壁パネルを施工現場に運搬し、施工現場で、控壁パネルを据え付け、この控壁パネルに複数個の塀壁パネルを略一直線状に上下に並べて連結するだけで請求項２記載の塀とすることができ、現場施工工数が少なくなり極めて施工し易い。
【００３１】
また、この塀壁パネルが受ける風等の外力に対しては、塀壁パネルに略直角に連結されている控壁パネルが受けるので、塀壁パネルを２階の高さに取り付けても、風等の外力に対する十分な抵抗力を持たせることができる。
また、建物本体の外観が途中で異なる場合には、背後にある建物本体に合う化粧を施した塀壁パネルを製造し、建物本体の前面に、それぞれ、この建物本体に合った化粧を施した塀壁パネルを取り付けることにより、この塀壁パネルを建物の外観に合わせることができ、建物全体を美麗にすることができる。
【００３２】
請求項３記載の発明では、運搬可能な控壁パネルが据え付けられ、運搬可能な塀壁パネルがこの控壁パネルの上方位置に、塀壁パネルの面と控壁パネルの面を略直角にした状態にして、連結され、この塀壁パネルの下方が開口部になされている塀であるので、塀壁パネルと控壁パネルを工場等の製造し易い場所で製造し、この塀壁パネルと控壁パネルを施工現場に運搬し、施工現場で、控壁パネルを据え付け、この控壁パネルの上方に塀壁パネルを連結するだけで、請求項３記載の塀とすることができ、現場施工工数が少なくなり極めて施工し易い。
【００３３】
また、この塀壁パネルが受ける風等の外力に対しては、塀壁パネルに略直角に連結されている控壁パネルが受けるので、塀壁パネルを２階の高さに取り付けても、風等の外力に対する十分な抵抗力を持たせることができる。
しかも、この請求項３記載の塀には、塀パネルの下方に開口部があるので、この開口部を、通用門にしたり、扉等を取り付けて玄関や勝手口等の出入口にしたり、シャッター等を取り付けて車庫の出入口にすることができ、極めて便利である。
【００３４】
請求項４記載の発明では、運搬可能な箱形に組み立てられた骨格と、この骨格の側面に取り付けられた塀壁パネルとからなる塀ユニットであるので、工場等の製造し易い場所で塀ユニットを製造し、この塀ユニットを施工現場に据え付けるだけで塀を設けることができ、現場施工工数が少なくなり極めて施工し易い。
しかも、この塀壁パネルは箱形に組み立てられた骨格に取り付けられていて、風等の外力を箱形に組み立てた骨格が受けるので、この外力に対して十分な抵抗力を持たせることができる。
又、この塀ユニット上方に天井を設けずに、この天井の部分を空気通路や採光の場所にすることができる。
【００３５】
請求項５記載の発明では、請求項４記載の発明に係り、前記塀ユニットには、この塀壁パネルより所定距離だけ離れた反対側位置に建物本体の一部分が設けられているので、工場等の製造し易い場所で、この請求項５記載の塀ユニットを製造し、この塀ユニットを施工現場に据え付けるだけで、建物本体の一部分と、この建物の一部分から所定距離だけ離れた反対側位置に塀とを同時に設けることができる。
また、この塀と居住部分との間にある空間の上方に天井を設けないで、この部分を空気の通路や採光の場所にすることができる。
【００３６】
請求項６記載の発明では、請求項１〜５のいずれかに記載の発明に係り、前記塀壁パネルが柱と塀面材とからなり、この塀面材の前面には、背後又は横側に存在する建物本体の外壁に合う化粧が施されているので、柱と塀面材を組み立てるだけで、塀壁パネルを製造することができ、製造し易いし、この塀壁パネルを取り付けた塀は、背後又は横側に存在する建物本体の外壁に合う化粧が施されて、建物全体が美麗である。
【００３７】
請求項７記載の発明では、複数階建ての建物本体には、１階の北側に北側開口部が設けられ、最上階に南側開口部又は天窓が設けられ、１階の北側開口部から最上階の南側開口部又は天窓に通じる上向きの空気通路が設けられ、建物本体の北側開口部から所定距離だけ離れた位置に塀が設けられている建物であるので、次に示すような作用がある。
【００３８】
即ち、建物本体の北側にある建物本体と塀とで挟まれた空間は、建物本体に遮られて太陽が差し込まず、冷たい比較的重い空気が充満している。
又、建物の中の空気は温かく比較的軽い空気がある。
従って、夏期の暑い日等に建物本体の南側開口部又は天窓と北側開口部とを開けると、建物内の暑い比較的軽い空気が南側開口部又は天窓から排出され、これに伴って、北側の冷たい比較的重い空気が建物内に吸い込まれる。
その結果、建物内が涼しく、極めて居住性がよくなる。
この際、空気通路は上向きであるので、空気の通過がスムーズに行われる。
【００３９】
請求項８記載の発明では、請求項７記載の発明に係り、前記建物本体と前記塀との間には、蓄熱材又は散水機能が設けられているので、請求項７記載の発明の作用の項で説明したように、夏期、暑い日等に建物本体の北側開口部を開けると、北側の冷たく比較的重い空気が建物内に吸い込まれるが、この際、次に示すように、この冷たい空気を吸い込んで居住性をよくした状態を長時間継続させることができる。
【００４０】
即ち、建物本体と前記塀との間には蓄熱材が設けられていると、夜間に冷やされた蓄熱材の温度が上昇し難く、この蓄熱材によって周囲の空気が冷やされる。従って、夜間に冷やされた北側の冷たい空気が建物内に吸い込まれて、周囲から温かい空気が、この建物本体と塀との間に入っても、この空気が蓄熱材によって冷やされ、この冷やされた冷たい空気が建物内に吸い込まれる。
又、散水機能が設けられていると、北側の冷たい比較的重い空気が建物内に吸い込まれて、この冷たい空気がなくなると、散水機能を稼働させて散水する。すると、この散水の水が蒸発し、この蒸発によって吸収された熱によって、北側の空気が冷やされ、冷たい空気が建物内に吸い込まれる。
このように、建物本体と塀との間の空気がなくなっても、蓄熱材や散水で連客された空気が入るので、居住性のよい状態を長時間継続させることができる。
【００４１】
【発明の実施の形態】
以下、本発明の実施の形態を実施例で説明する。
（実施例１）
図１〜図５は本発明の一実施例を示すもので、図１は、建物の斜視図、図２は図１の平面を示す模式図、図３は図２のＡ部分の基礎と塀を示すもので、（イ）は正面を示す模式図、（ロ）は側面を示す模式図、図４は図３に示す基礎と塀の骨格を示すもので、（イ）は正面を示す模式図、（ロ）は側面を示す模式図、（ハ）は模式図、図５は図２のＢ部分の塀を示す斜視図である。
【００４２】
図１〜図５において、Ｈは建物であり、この建物Ｈは、図１及び図２に示すように、建物本体１と塀２と、車庫３とからなる。
建物本体１は２階建ての住宅である。
塀２は、図３及び図４に示す標準的な塀２−１と、図５に示す開口部を有する塀２−２の２種類ある。
【００４３】
そして、標準的な塀２−１は控壁パネル４と塀壁パネル５とからなる。
控壁パネル４は、図４に示すように、両側に設けられた高さが略５．８ｍの柱４１、４１と、この両側の柱４１、４１の上端部を連結する上梁４２と、両側の柱４１、４１の下端部を連結する下梁４３と、両側の柱４１、４１に差し渡された桟４６とからなる骨格と、この骨格の外側面に取り付けられた塀面材４５とからなり、運搬可能になっている。
【００４４】
塀壁パネル５は、両側に設けられた高さが略２．９ｍの柱５１、５１と、この両側の柱５１、５１の上端部を連結する上梁５２と、両側の柱５１、５１の下端部を連結する下梁５３と、この上梁５２と下梁５３に差し渡された間柱５４とからなる骨格と、この骨格の外側面に取り付けられた塀面材５５とからなり、運搬可能になっている。
このように、柱４１、５１、上梁４２、５２、下梁５２、５３等の骨格を組み立て、この骨格に塀面材４５、５５を取り付けるだけで、控壁パネル４や塀壁パネル５を製造することができ、製造し易い。
【００４５】
なお、この控壁パネル４と塀壁パネル５の幅は取り付ける場所に適した長さになっている。
また、塀面材５５の表面には、背後や横側にある建物本体１の外壁に合った模様が施されている。即ち、建物本体１の外観が１階と２階で異なる場合には、下側の塀壁パネル５を１階の合った外観にし、上側の塀壁パネル５を２階に合った外観にする。
【００４６】
そして、標準的な塀２−１は、所定の間隔を隔てて設けられた塀基礎２１の上に控壁パネル４や柱９が据え付けられ、塀壁パネル５がこの控壁パネル４や柱９に、上下に２個の塀壁パネル５を略一直線状に並べ且つ塀壁パネル５の面と控壁パネル４の面を略直角にした状態にして、差し渡され連結されたものである。
【００４７】
また、開口部を有する塀２−２は、図５に示すように、塀基礎２１の上に控壁パネル４が据え付けられ、この控壁パネル４の上方位置に塀壁パネル５が、塀壁パネル５の面と控壁パネル４の面を略直角にした状態にして、差し渡され連結されたものであり、この塀壁パネル５の下方が開口部になっている。そして、この開口部には、シャッターパネル６が取り付けられている。
尚、シャッターパネル６は、枠６１の中にシャッター６２が設けられたものである。
【００４８】
車庫３は建物本体１の横側に設けられている。
そして、この標準的な塀２−１と開口部を有する塀２−２は、図１及び図２に示すように、建物本体１と車庫３を囲んで設けられている。尚、開口部を有する塀２−２は車庫の前に設けられていて、このシャッター６を開けて車庫の中に車を出入させることができるようになっている。即ち、この開口部は車の出入口となっている。
【００４９】
次に、この塀２の施工方法及び作用について説明する。
先ず、工場で、控壁パネル４、塀壁パネル５、シャッターパネル６を製造し、これを施工現場に運搬する。
施工現場には、予め、建物本体１や車庫３が設けられ、この周囲の所々に塀基礎２１や柱９が設けられている。
【００５０】
そして、この塀基礎２１の上に複数の控壁パネル４を次々に立設し、この控壁パネル４や予め設けられている柱９に塀壁パネル５を差し渡し、ボルト・ナットで両者を連結して標準的な塀２−１を設ける。又、車庫の前には、控壁パネル４に塀壁パネル５とシャッターパネル６を取り付けて開口部を有する塀２−２を設ける。
【００５１】
このように、塀壁パネル５と控壁パネル４を製造し易い工場で製造し、この塀壁パネル５と控壁パネル４を施工現場に運搬し、施工現場で、控壁パネル４を据え付け、この控壁パネル４に２個の塀壁パネル５を上下に略一直線状に並べて連結するだけで標準の塀２−１を設けることができるし、控壁パネル４の上方に塀壁パネル５を連結し、下方にシャッターパネル６を取り付けるだけで開口部を有する塀２−２を設けることができ、現場施工工数が少なく施工し易い。
また、塀面材４５の前面には、背後や横側に存在する建物本体１の外壁に合った化粧が施されているので、建物全体が調和のある外観を呈して極めて美麗である。
【００５２】
また、この開口部を有する塀２−２には、シャッターパネル６が取り付けられているので、この開口部を有する塀２−２を据え付けるだけで車庫の出入口を設けることができ、極めて便利である。
【００５３】
（実施例２）
図６及び図７は本発明の他の実施例を示すもので、図６は独立した２種類の塀を示すもので、（イ）は門を有する塀を示す模式図、（ロ）は高さの異なる塀を示す模式図、図７は控壁パネルと塀壁パネルの種々な組み合わせを示すもので、（イ）は直線部分の塀の一例を示す模式図、（ロ）は直線部分の塀の他の例を示す模式図、（ハ）は直線部分の塀の別の例を示す模式図、（ニ）は直線部分の更に別の例を示す模式図、（ホ）は直線部分の更に別の例を示す模式図、（ヘ）は直線部分の更に別の例を示す模式図、（ト）は出隅部分の塀の一例を示す模式図、（チ）は出隅部分の塀を示す他の例を示す模式図、（リ）は出隅部分の塀を示す別の例を示す模式図、（ヌ）は出隅部分の更に別の例を示す模式図、（ル）は直線部分と出隅部分の組み合わせた状態を示す模式図である。
【００５４】
図６には独立した２種類の塀が示されている。
即ち、図６（イ）に示す塀２ａは、２箇所の基礎２１ａの上にそぞれ控壁パネル４ａが据え付けられ、この２箇所の控壁パネル４ａの上方位置に塀壁パネル５ａが、塀壁パネル５ａ面と控壁パネル４ａ面を略直角にした状態にして、差し渡され連結されたものであり、この塀壁パネル５ａの下方が開口部になっている。そして、この開口部が通用門６５ａになっている。
【００５５】
図６（ロ）に示す塀２ｂは、２個の高さが略６．２ｍの控壁パネル４ｂ−１、４ｂ−１が所定の間隔を隔てて略平行に据え付けられ、更に、高さが略３ｍの別の控壁パネル４ｂ−２が所定の間隔を隔てて据え付けられていて、２個の控壁パネル４ｂ−１、４ｂ−１に塀壁パネル５ｂが、上下に２個の塀壁パネル５ｂを並べ且つ塀壁パネル５ｂ面と控壁パネル４ｂ面を略直角にした状態にして、連結され、１個の控壁パネル４ｂ−１と１個の控壁パネル４ｂ−２に、１個の塀壁パネルが、塀壁パネル５ｂ面と控壁パネル４ｂ面を略直角にした状態にして、連結されたものである。
【００５６】
この２種類の塀２ａ、２ｂは、実施例１の塀と略同じようにして製造され、据え付けられる。そして、実施例１と略同じ作用をするので、説明を省略する。
なお、この図６には２種類だけの独立した塀を示したが、その他の塀も多くある。
例えば、塀の高さが異なる種々の塀もあるし、塀壁パネルの数も１個の場合もあるし、２個以上の場合もある。又、開口部のある塀でも図５に示す車の出入口や図６（イ）に示す通用門だけでなく、開口部に扉を設けて玄関としたものもある。
【００５７】
図７には控壁パネルと塀壁パネルの種々な組み合わせを示している。
即ち、図７（イ）に示す塀２ｃは、２個の控壁パネル４ｃが所定の間隔を隔てて設けられた点線で示す塀基礎の上に略平行に据え付けられ、この２個の控壁パネル４ｃに塀壁パネル５ｃが、塀壁パネル５ｃ面と控壁パネル４ｃ面を略直角にして、連結されたものである。
【００５８】
図７（ロ）に示す塀２ｄは、図７（イ）に示す塀２ｃが２個並べられた塀である。
即ち、２個の控壁パネル４ｄ−１が所定の間隔を隔てて設けられた点線で示す塀基礎の上に略平行に据え付けられ、この２個の控壁パネル４ｄ−１に塀壁パネル５ｄ−１が、塀壁パネル５ｄ−１面と控壁パネル４ｄ−１面を略直角にして、連結され、更に、この延長線上に、２個の控壁パネル４ｄ−２が所定の間隔を隔てて略平行に据え付けられ、この２個の控壁パネル４ｄ−２に塀壁パネル５ｄ−２が、塀壁パネル５ｄ−２面と控壁パネル４ｄ−２面を略直角にして、連結されたものである。
図７（ロ）は隣合う塀壁パネル５ｄの突き合わせ部分に２個の控壁パネル４ｄが並んで設けられている。
【００５９】
図７（ハ）に示す塀２ｅは、隣合う塀壁パネル５ｅの突き合わせ部分に１個の控壁パネル４ｅが設けられている。
即ち、図７（ロ）に示す塀と略同じであるが、控壁パネル４ｅが両方の塀壁パネル５ｅの共用となっていることが異なる。即ち、中央の控壁パネル４ｅが両側の塀壁パネル５ｅに連結されたものである。
図７（ニ）に示す塀２ｆは、建物本体に柱９ｆがある場合に適用されるものであって、柱９ｆと控壁パネル４ｆが所定の間隔を隔てて設けられた点線で示す塀基礎の上に据え付けられ、この柱９ｆと控壁パネル４ｆに塀壁パネル５ｆが、塀壁パネル５ｆ面と控壁パネル４ｆ面を略直角にして、連結されたものである。
【００６０】
図７（ホ）は、図７（ニ）に示す塀が２個並べられた塀である。
即ち、両方に建物本体の柱９ｇ、９ｇがある場合に適用されるものであって、柱９ｇと控壁パネル４ｇが所定の間隔を隔てて設けられた点線で示す塀基礎の上に据え付けられ、この柱９ｇと控壁パネル４ｇに塀壁パネル５ｇが、塀壁パネル５ｇ面と控壁パネル４ｇ面を略直角にして、連結され、更に、延長線上に、柱９ｇと控壁パネル４ｇが所定の間隔を隔てて据え付けられ、この柱９ｇと控壁パネル４ｇに塀壁パネル５ｇが、塀壁パネル５ｇ面と控壁パネル４ｇ面を略直角にして、連結されたものである。
【００６１】
図７（ヘ）に示す塀２ｈは、図７（ホ）に示す塀と略同じであるが、控壁パネル４ｈが両方の塀壁パネル５ｈの共用となっていることが異なる。即ち、中央の控壁パネル４ｈが両側の塀壁パネル５ｈに連結されたものである。
図７（ト）に示す塀２ｊは、出隅部分に設けられるものであって、塀基礎の上にそれぞれ控壁パネル４ｊが据え付けられ、この２箇所の控壁パネル４ｊに塀壁パネル５ｊが、塀壁パネル５ｊ面と控壁パネル４ｊ面を略直角にした状態にして、差し渡され連結されたもの２個が略直角に据え付けられたものである。
【００６２】
図７（チ）に示す塀２ｋは、図７（ト）と同様に出隅部分に設けられるものであるが、控壁パネル４ｋ−１と４ｋ−２が塀壁パネル５ｋ−２と５ｋ−２に連結されていることが異なる。
即ち、２個の控壁パネル４ｋ−１が点線で示す塀基礎の上に据え付けられ、この２個の控壁パネル４ｋ−１に塀壁パネル５ｋ−１が他方の控壁パネル４ｋ−２を介して連結され、この控壁パネル４ｋ−２と別の控壁パネル４ｋ−２に塀壁パネル５ｋ−２が前記控壁パネル４ｋ−１を介して連結されているものである。
なお、出隅の角にあたる控え壁パネル４ｋ−１、４ｋ−２と一体にして全体としてＬ字状の控壁パネルにしてもよい、また、同じ方向の４ｋ−１と５ｋ−２、又は４ｋ−２と５ｋ−１とは、どちらがながくてもよい。例えば、４ｋの方が５ｋより長くてもよい。
【００６３】
図７（リ）に示す塀２ｍは、建物本体に柱９ｍがあるときの出隅部分に設けられるものであって、柱９ｍ−１と控壁パネル４ｍ−１に塀壁パネル５ｍ−１が、塀壁パネル５ｍ−１面と控壁パネル４ｍ−１面を略直角にして、連結され、別の柱９ｍ−２と控壁パネル４ｍ−２に塀壁パネル５ｍ−２が、塀壁パネル５ｍ−２と控壁パネル４ｍ−２面を略直角にして、連結されたものである。
【００６４】
図７（ヌ）に示す塀２ｎは、図７（リ）に示す塀２ｍと同様に、２本の柱９ｎに塀壁パネル５ｎが連結された出隅に設けるものであるが、図７（チ）に示す塀２ｋと同様に控壁パネル４ｎが塀壁パネル５ｎを介して連結されていることが異なる。
図７（ル）に示す塀２ｐは、９個の控壁パネル４ｐと３個の塀壁パネル５ｐを組み合わせたものである。
なお、（チ）（ヌ）は控壁パネルをＬ字状に連結し、この控壁パネルを塀壁パネルの端部に適用しているものであり、隣合う塀壁パネルが直線状に隣接する場合には、Ｔ字状にしたものでもよい。
この図７に示す塀ｃ〜ｐは、すべて実施例１と同様にして製造され、同様な効果があるので、この点については説明を省略する。
【００６５】
（実施例３）
図８は本発明の別の実施例を示すもので、（イ）は塀ユニットを示す斜視図、（ロ）は（イ）のＣ−Ｃ線における断面図である。
【００６６】
図８において、Ｕｑは塀ユニットであって、この塀ユニットＵｑは柱７１ｑ、天井梁７２ｑ、床梁７３ｑを平面視矩形状の箱形に組み立てた鋼製の骨格７ｑと、この骨格７ｑの妻側の面に取り付けられた塀壁パネル５ｑと、この塀壁パネル５ｑと反対側に建物本体の一部分となる居住部分８ｑが設けられていて、この塀ユニットＵｑは運搬可能になっている。
なお、他の部分を構成する建物ユニットとともに施工現場で組み合わせてユニット建物を構成するようにしてもよい。
【００６７】
塀壁パネル５ｑは、柱と、上梁５２ｑと、下梁５３ｑが矩形状に組み立てられ、上梁５２ｑと下梁５３ｑに差し渡された間柱５４ｑとからなる骨格の外側面に塀面材５５ｑが、又、内側面に内壁面材５８ｑがそれぞれ取り付けられたものである。
天井梁７２ｑの居住部分８ｑが設けられてない部分には梁化粧材７２１ｑが取り付けられて、この梁化粧材７２１ｑで天井梁７２ｑが覆われている。
【００６８】
居住部分８ｑの周囲には、塀壁パネル５ｑと略同じ構造の外壁パネル８１ｑが取り付けられている。又、この居住部分の天井には天井面材７２２ｑが取り付けられている。
なお、塀壁パネル５ｑの壁面材５５ｑの表面には、この塀ユニットＵｑを取り付ける建物本体の外壁に合った化粧が施されている。
なお、この骨格７ｑの居住部分８ｑ以外の場所の上面には、天井が設けられていない。
【００６９】
次に、この塀ユニットＵｑの製造方法、据付方法及び作用について説明する。柱７１ｑ、天井梁７２ｑ、床梁７３ｑを平面視矩形状の箱形に組み立てて塀ユニットＵｑの骨格７ｑを製造する。
【００７０】
一方、柱、上梁５２ｑ、下梁５３ｑ、間柱５４ｑを組み立てて骨格を製造し、この骨格の外側面に塀面材５５ｑを取り付け、内側面に内壁面材５８ｑを取り付けて塀壁パネル５ｑを製造する。
このように、設備の整った工場で骨格を製造し、この骨格に塀面材５５ｑを取り付けたり内壁面材５８ｑを取り付けるだけで、塀壁パネル５ｑが製造できるので、この塀壁パネル５ｑは製造し易い構造をしている。
また、居住部分８ｑの外壁パネル８１ｑを製造する。
【００７１】
そして、塀ユニットＵｑの骨格に塀壁パネル５ｑを取り付けたり、外壁パネル８１ｑを取り付けたり、梁化粧材７２１ｑを取り付けたり、天井面材７２２ｑを取り付けて、塀ユニットＵｒを製造する。
この塀ユニットＵｒを施工現場に運搬し、予め、建てられている建物本体の横に塀基礎２１ｑを設け、この基礎の上に塀ユニットＵｑを、居住部分８ｑを建物本体に当接させて据え付けると、建物本体から平面視矩形状の長辺の長さだけ隔てた位置に塀が設けられる。
【００７２】
このように、製造し易い工場で塀ユニットＵｑを製造し、これを施工現場に据え付けるだけで塀を設けることができ、現場施工工数が少なく施工が極めて簡単である。
しかも、この塀壁パネル５ｑは箱形に組み立てられた骨格７ｑに取り付けられていて、風等の外力を箱形に組み立てた骨格７ｑが受けるので、この外力に対して十分耐えることができる。
【００７３】
又、塀壁パネル５ｑと反対側には、この塀壁パネル５ｑより所定距離だけ離れた位置に、居住部分８ｑが設けられているから、この塀ユニットＵｑを据え付けるだけで、建物本体の１部分である居住部分８ｑと、塀とが同時に設けることができ極めて便利である。
又、塀と居住部分８ｑと間の上方には天井がないので、この天井の部分が空気通路になるし、採光の場所になる。
【００７４】
又、塀壁パネル５ｑの表面には建物本体の壁に合う化粧が施されているので、この塀ユニットＵｑを組み込んだ建物は、美麗である。
【００７５】
（実施例４）
図９は本発明の更に別の実施例を示すもので、塀ユニットを示す斜視図である。
【００７６】
図９において、Ｕｒは塀ユニットであって、このＵｒは柱７１ｒ、天井梁７２ｒ、床梁７３ｒを平面視矩形状の箱形に組み立てた鋼製の骨格７ｒと、この骨格７ｒの妻側の面に取り付けられた塀壁パネル５ｒとからなり、この塀ユニットＵｒは運搬可能になっているし、塀壁パネル５ｒの表面には、この塀ユニットＵｒを取り付ける建物本体の外壁に合った化粧が施されている。
この塀壁パネル５ｒは実施例３に示す塀壁パネルと略同じであるので説明を省略する。
なお、この骨格７ｒの上面には、天井を設けない。
【００７７】
次に、この塀ユニットＵｒの製造方法、据付方法及び作用について説明する。柱７１ｒ、天井梁７２ｒ、床梁７３ｒを平面視矩形状の箱形に組み立てて骨格７ｒを製造し、この骨格７ｒの妻側の面に塀壁パネル５ｒを取り付けて塀ユニットＵｒを製造する。
【００７８】
この塀ユニットＵｒを施工現場に運搬し、予め、建てられている建物本体の横に塀基礎を設け、この塀基礎の上に塀ユニットＵｒを塀壁パネル５ｒと反対側の妻面を建物本体に当接させて据え付けると、建物本体から平面視矩形状の長辺の長さだけ隔てた位置に塀が設けられる。
【００７９】
このように、製造し易い工場で塀ユニットＵｒを製造し、これを施工現場に据え付けるだけで塀を設けることができ、施工が極めて簡単である。
しかも、この塀壁パネル５ｒは箱形に組み立てられた骨格７ｒに取り付けられていて、風等の外力を箱形に組み立てた骨格７ｒが受けるので、この外力に対して十分耐えることができる。
又、この塀ユニットＵｒの上方には天井がないので、この天井の部分が空気通路になるし、採光の場所にすることができる。
又、塀壁パネル５ｒの表面には建物本体の壁に合う化粧が施されているので、この塀ユニットＵｒを組み込んだ建物は、美麗である。
この実施例１〜４においては、塀壁パネルの基礎部分が開口されているが、この塀壁パネルの基礎部分を塞いでもよい。
【００８０】
（実施例５）
図１０は本発明の更に別の実施例を示すもので、塀ユニットを示す斜視図である。
【００８１】
この図１０に示す実施例５の塀ユニットＵｓを図９に示す実施例４と比較すると、塀壁パネル５ｓが塀ユニットＵｓの桁側に取り付けられていることが異なる。
その他の構造及び作用は実施例３と略同じであるので、説明を省略する。
【００８２】
（実施例６）
図１１〜図１４は本発明の更に別の実施例を示すもので、図１１は建物の一部を示す斜視図、図１２（イ）は１階の間取りを示す平面図、（ロ）は２階の間取りを示す平面図、図１３は図１１のＤ−Ｄ線における断面図、図１４は建物本体の南面と北面と壁の温度の変化を示す図である。
【００８３】
図１１〜図１４において、Ｈｔは２階建ての建物であり、この２階建ての建物Ｈｔは、建物本体１ｔと塀２ｔとからなる。
建物本体１ｔの１階には、図１２に示すように、玄関１１ｔ、寝室１２ｔ、子供部屋１３ｔが２室、階段１４ｔがあり、２階には、浴室１５ｔ、洗面所１６ｔ、台所１７ｔ、食堂兼居室１８ｔが設けられている。
【００８４】
そして、１階の北側にある玄関１１ｔと寝室１２ｔには、それぞれ大きな北側開口部である窓１１１ｔ、１２１ｔが設けられている。又、２階の南側にある食堂兼居室１８ｔには窓２個の窓１８１ｔが設けられ、天井には、天窓１９ｔが設けられている。
従って、１階の北側の窓１１１ｔと２階の南側の窓１８１ｔを開けると、１階の北側の窓１１１ｔから階段１４ｔを通って２階の南側の窓１８１ｔと天窓１９ｔに通じる図１２及び図１３の矢印で示す上向きの空気通路Ｓが形成される。
塀２ｔは、窓１１１ｔ、１２１ｔを囲むように設けられている。
この建物Ｈｔは上記の構造になっているので、次に示すような作用・効果がある。
【００８５】
２階建ての建物本体１ｔの北側の所定距離だけ離れた位置に塀２ｔが設けられ、建物本体１ｔには、塀２ｔに面した１階に北側開口部である窓１１１ｔ、１２１ｔが設けられ、２階に南側開口部である窓１８１ｔと、天井に天窓１９ｔが設けられ、１階の窓１１１ｔ、１２１ｔから２階の窓１８１ｔと天窓１９ｔに通じる上向きの空気通路Ｓが設けられているから、夏期の暑い日等に建物本体１ｔの窓１１１ｔ、１２１ｔを開けると、建物内の暑い比較的軽い空気が窓１８１ｔや天窓から排出され、これに伴って、北側の冷たい比較的重い空気が建物内に吸い込まれ、建物内が涼しく、極めて居住性がよい。
【００８６】
実際に、夏期に建物本体１ｔの南側の空気の温度Ｄと、寝室１２ｔの温度Ｅと、建物本体１ｔと塀２ｔの間の空気の温度Ｆを２４時間測定したところ、図１４に示すようになっていて、建物本体１ｔと塀２ｔの間の昼間の温度が南側より５℃以上低くなっていることが判る。従って、この空気が建物本体１ｔの中に流れ込んで、極めて居住性がよくなることが理解できる。
なお、この建物本体１ｔと塀２ｔとの間に蓄熱材や散水機能を設けると、長時間冷たい空気が流れ込んで更に効果的になる。
【００８７】
【発明の効果】
以上説明してきたように、請求項１に記載の発明は、運搬可能な控壁パネルが据え付けられ、運搬可能な塀壁パネルがこの控壁パネルに、塀壁パネルの面と控壁パネルの面を略直角にした状態にして、連結されている塀であるから、塀壁パネルと控壁パネルを工場等の製造し易い場所で製造し、この塀壁パネルと控壁パネルを施工現場に運搬し、施工現場で、控壁パネルを据え付けたり、この控壁パネルに塀壁パネルを連結するだけで塀とすることができ、現場施工工数が少なくなり極めて施工し易いし、塀壁パネルが受ける風等の外力に対しては、塀壁パネルに略直角に連結されている控壁パネルが受け、風等の外力に対する十分な抵抗力を持たせることができる。
【００８８】
請求項２記載の発明は、運搬可能な控壁パネルが据え付けられ、運搬可能な複数個の塀壁パネルがこの控壁パネルに、複数の塀壁パネルを略一直線状に上下に並べ且つ塀壁パネルの面と控壁パネルの面を略直角にした状態にして、連結されている塀であるから、塀壁パネルと控壁パネルを工場等の製造し易い場所で製造し、この塀壁パネルと控壁パネルを施工現場に運搬し、施工現場で、控壁パネルを据え付け、この控壁パネルに複数個の塀壁パネルを略一直線状に上下に並べて連結するだけで塀とすることができ、現場施工工数が少なくなり極めて施工し易いし、塀壁パネルが受ける風等の外力に対しては、塀壁パネルに略直角に連結されている控壁パネルが受け、風等の外力に対する十分な抵抗力を持たせることができる。
【００８９】
また、建物本体の外観が途中で異なる場合には、横側や背後にある建物本体に合う化粧を施した塀壁パネルを製造し、建物本体の前面に、それぞれ、建物本体に合った化粧を施した塀壁パネルを取り付けることにより、簡単に建物の外観に合わせることができ、建物全体が美麗である。
【００９０】
請求項３記載の発明は、運搬可能な控壁パネルが据え付けられ、運搬可能な塀壁パネルがこの控壁パネルの上方位置に、塀壁パネルの面と控壁パネルの面を略直角にした状態にして、連結され、この塀壁パネルの下方が開口部になされている塀であるから、塀壁パネルと控壁パネルを工場等の製造し易い場所で製造し、この塀壁パネルと控壁パネルを施工現場に運搬し、施工現場で、控壁パネルを据え付け、この控壁パネルの上方に塀壁パネルを連結するだけで、塀とすることができ、現場施工工数が少なくなり極めて施工し易いし、塀壁パネルが受ける風等の外力に対しては、塀壁パネルに略直角に連結されている控壁パネルが受け、風等の外力に対する十分な抵抗力を持たせることができる。
【００９１】
また、この請求項３記載の塀には、開口部があるので、この開口部を、通用門にしたり、扉等を取り付けて玄関や勝手口等の出入口にしたり、シャッター等を取り付けて車庫の出入口にすることができ、極めて便利である。
【００９２】
請求項４記載の発明は、運搬可能な箱形に組み立てられた骨格と、この骨格の側面に取り付けられた塀壁パネルとからなる塀ユニットであるから、工場等の製造し易い場所で塀ユニットを製造し、この塀ユニットを施工現場に据え付けるだけで塀を設けることができ、現場施工工数が少なくなり極めて施工し易い。
【００９３】
また、この塀壁パネルは箱形に組み立てられた骨格に取り付けられていて、風等の外力を箱形に組み立てた骨格が受けるので、この外力に対して十分な抵抗力を持たせることができる。
また、この塀ユニット上方に天井を設けずに、この天井の部分を空気通路や採光の場所にすることができる。
【００９４】
請求項５記載の発明は、請求項４記載の発明に係り、前記塀壁パネルより所定距離だけ離れた反対側位置に建物本体の一部分が設けられているから、工場等の製造し易い場所で、塀ユニットを製造し、この塀ユニットを施工現場に据え付けるだけで、建物本体の一部分と、この建物本体の一部分から所定距離だけ離れた位置に塀とを同時に設けることができ、極めて便利である。
【００９５】
また、この塀と建物本体の一部分との間にある空間の上方に天井を設けないで、この部分を空気の通路や採光の場所にすることができる。
【００９６】
請求項６記載の発明は、請求項１〜５のいずれかに記載の発明に係り、前記塀壁パネルが柱と塀面材とからなり、この塀面材の前面には、背後又は横側に存在する建物本体の外壁に合う化粧が施されているから、柱と塀面材を組み立てるだけで、塀壁パネルを製造することができ、製造し易いし、この塀壁パネルを取り付けた塀は、背後や横側に存在する建物本体の外壁に合う化粧が施され、建物全体が美麗である。
【００９７】
請求項７記載の発明は、複数階建ての建物本体には、１階の北側に北側開口部が設けられ、最上階に南側開口部又は天窓が設けられ、１階の北側開口部から最上階の南側開口部又は天窓に通じる上向きの空気通路が設けられ、この建物本体の北側開口部から所定距離だけ離れた位置に塀が設けられている建物であるから、夏期の暑い日等に建物本体の北側開口部を開けると、建物内の暑い比較的軽い空気が南側開口部又は天窓から排出され、これに伴って、北側の冷たい比較的重い空気が建物内に吸い込まれ、建物内が涼しく、極めて居住性がよくなる。
【００９８】
請求項８記載の発明は、請求項７記載の発明に係り、前記建物本体と前記塀との間には、蓄熱材又は散水機能が設けられているから、夏期、暑い日等に建物本体の北側開口部を開けると、冷やされた空気が長時間建物内に吸い込まれて、居住性のよい状態を長時間継続させることができる。
【図面の簡単な説明】
【図１】本発明の一実施例を示すもので、建物の斜視図である。
【図２】図１の平面を示す模式図である。
【図３】図２のＡ部分の基礎と塀を示すもので、（イ）は正面を示す模式図、（ロ）は側面を示す模式図である。
【図４】図３に示す基礎と塀の骨格を示すもので、（イ）は正面を示す模式図、（ロ）は側面を示す模式図、（ハ）は平面を示す模式図である。
【図５】図２のＢ部分の塀を示す斜視図である。
【図６】本発明の他の実施例を示すもので、独立した２種類の塀を示す模式図である。
【図７】控壁パネルと塀壁パネルの種々な組み合わせを示す模式図である。
【図８】本発明の別の実施例を示すもので、（イ）は塀ユニットを示す斜視図、（ロ）は（イ）のＣ−Ｃ線における断面図である。
【図９】本発明の更に別の実施例を示すもので、塀ユニットを示す斜視図である。
【図１０】本発明の更に別の実施例を示すもので、塀ユニットを示す斜視図である。
【図１１】本発明の更に別の実施例を示すもので、建物の一部を示す斜視図である。
【図１２】（イ）は１階の間取りを示す平面図、（ロ）は２階の間取りを示す平面図である。
【図１３】図１１のＤ−Ｄ線における断面図である。
【図１４】建物本体の南面と北面と壁の温度の変化を示す温度の変化図である。
【符号の説明】
Ｈ、Ｈｔ          建物
Ｕｑ、Ｕｒ、Ｕｓ  塀ユニット
１                建物本体
１１１ｔ、１２１ｔ  北側開口部（窓）
１８１ｔ            南側開口部（窓）
１９ｔ              天窓
２、２ａ、２ｂ、２ｃ、２ｄ、２ｅ、２ｆ、２ｇ    塀
２ｈ、２ｊ、２ｋ、２ｍ、２ｎ、２ｐ、２ｔ        塀
２−１            標準的な塀
２−２            開口部のある塀
３                車庫
４、４ａ、４ｂ、４ｃ、４ｄ、４ｅ、４ｆ、４ｇ    控壁パネル
４ｈ、４ｊ、４ｋ、４ｍ、４ｎ、４ｐ              控壁パネル
５、５ａ、５ｂ、５ｃ、５ｄ、５ｅ、５ｆ、５ｇ、５ｈ    塀壁パネル
５ｊ、５ｋ、５ｍ、５ｎ、５ｐ、５ｑ、５ｒ、５ｓ        塀壁パネル
５１              塀壁パネルの柱
５５              塀壁パネルの塀面材
６                シャッターパネル
６２              シャッター
６５ａ            通用門
７ｑ、７ｒ        塀ユニットの骨格
８ｑ              居住部分
【図１】
2004197529.tif 000003
【図２】
2004197529.tif 000004
【図３】
2004197529.tif 000005
【図４】
2004197529.tif 000006
【図５】
2004197529.tif 000007
【図６】
2004197529.tif 000008
【図７】
2004197529.tif 000009
【図８】
2004197529.tif 000010
【図９】
2004197529.tif 000011
【図１０】
2004197529.tif 000012
【図１１】
2004197529.tif 000013
【図１２】
2004197529.tif 000014
【図１３】
2004197529.tif 000015
【図１４】
2004197529.tif 000016